(57)【要約】【課題】簡単な構成によって基板ボックスに対する不正行為を効果的に抑止することができるようにした遊技機を提供すること。【解決手段】外面を形成する複数の板部をそれぞれ有するボックスカバー（第１ケース）６０１とボックスベース（第２ケース）６０２とをつき合わせた状態で内部に制御基板が収容される構成を有する基板ボックス２０２Ａが配設された遊技機において、上記ボックスカバー６０１とボックスベース６０２との互いにつき合わせられた端縁部またはその端縁部を有する板部の少なくとも一部に、該端縁部に対して外力が加わった際に当該外力が集中することにより優先的に破断し得る脆弱部６３１を設ける。【選択図】 図２６
2014061322.tif 000002
【特許請求の範囲】
【請求項１】
外面を形成する複数の板部をそれぞれ有する第１ケースと第２ケースとをつき合わせた状態で内部に制御基板が収容される構成を有する基板ボックスが配設された遊技機であって、
前記第１ケースと第２ケースとの互いにつき合わせられた端縁部またはその端縁部を有する板部の少なくとも一部に、前記端縁部に対して外力が加わった際に当該外力が集中することにより優先的に破断し得る脆弱部を設け、
前記脆弱部が、前記端縁部またはその端縁部を有する板部の少なくとも一部に対し、同一の材質により一体的に形成されていることを特徴とする遊技機。
【発明の詳細な説明】
【技術分野】
【０００１】
本発明は、パチンコ機やスロットマシンに代表される遊技機に関するものである。
【背景技術】
【０００２】
パチンコ球を使用するパチンコ機等の遊技機には、例えば、遊技を統括制御する主制御基板と、音声ランプ基板、表示制御基板、払出制御基板等の従制御基板とが、基板ボックスに収容された状態で遊技機の裏面側にそれぞれ配置され、主制御基板と従制御基板とが、ハーネス、中継基板等の所定の電気部品を介して電気的に接続された構成となっているものがある。
【０００３】
遊技機においては、不正な利益を得ることを目的として、制御基板を不正に取り外して当該基板内のＲＯＭ（ＣＰＵやＲＯＭが１チップ化されている場合は当該チップ）を交換し遊技内容を変更したり、リード線等により外部から不正な電気信号を制御基板に入力させたりする等、制御基板に対しての不正行為が数多く報告されており、このため、基板ボックスには、例えば、痕跡を残すことなく該基板ボックスを開封することができないようにするものとして封止機構を設けるといった不正対策が施されているのが一般的となっている。
上記のような遊技機としては、例えば以下の特許文献１に開示されているようなものが挙げられる。
【先行技術文献】
【特許文献】
【０００４】
【特許文献１】特開２００４−０３３６０３号公報
【０００５】
上記基板ボックスの封止機構としては、基板ボックスの端縁部に封印用のシールを貼付し、基板ボックスを開封するとこのシールが破断されるようにしたものや、基板ボックスの側部を、破断ネジと称される、一旦締結すると頭部が破断し、以降はネジを回すことができなくなるネジを用いて締結固定することにより、基板ボックスを一部切断したりしない限り開封できない状態とするようにしたもの等がある。
【発明の概要】
【発明が解決しようとする課題】
【０００６】
しかしながら、上記封印用のシールや破断ネジによる封止機構は、基板ボックスの側部に設けられるものであって、基板ボックスの端縁部を全的に当接状態とすることができるわけではないため、上記封止機構が設けられていない部分においては、この部分に不正用の器具をこじ入れるようにして不正がなされる場合もある。このとき、上記封印用のシールであれば、基板ボックスの端縁部を全的に覆うように貼付することも可能と考えられるが、これによればシールによって基板ボックスの内部の視認性が低下してしまう。
【０００７】
本発明は、かかる問題点に鑑みて案出されたものであり、簡単な構成によって基板ボックスに対する不正行為を効果的に抑止することができるようにした遊技機を提供することを目的とする。
【課題を解決するための手段】
【０００８】
本発明にかかる遊技機は、上記目的を達成するために、
外面を形成する複数の板部をそれぞれ有する第１ケースと第２ケースとをつき合わせた状態で内部に制御基板が収容される構成を有する基板ボックスが配設された遊技機であって、
前記第１ケースと第２ケースとの互いにつき合わせられた端縁部またはその端縁部を有する板部の少なくとも一部に、前記端縁部に対して外力が加わった際に当該外力が集中することにより優先的に破断し得る脆弱部を設け、
前記脆弱部が、前記端縁部またはその端縁部を有する板部の少なくとも一部に対し、同一の材質により一体的に形成されていることを特徴とする。
【発明の効果】
【０００９】
本発明によれば、簡単な構成によって基板ボックスの不正な開封を確実に防止することができるようにした遊技機が得られる。
【図面の簡単な説明】
【００１０】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ケースを連結取付台座部材から外した状態の斜視図である。
【図１０】本発明にかかる遊技機の一例であるパチンコ機の遊技盤の裏面の第１基板ケースを連結取付台座部材ごと外した状態の右側面図である。
【図１１】本発明にかかる遊技機の一例であるパチンコ機の遊技盤の裏面の第１基板ケースを連結取付台座部材から外し、連結取付台座部材を開放した状態の斜視図である。
【図１２】本発明にかかる遊技機の一例であるパチンコ機の遊技盤の裏面の第１基板ケースおよび連結取付台座部材をそれぞれ外した状態の斜視図である。
【図１３】本発明にかかる遊技機の一例であるパチンコ機の遊技盤の裏面の第１基板ケースを開放した状態の斜視図である。
【図１４】本発明にかかる遊技機の一例であるパチンコ機の遊技盤の裏面の第１基板ケースを外し、カバー部材を開放した状態の斜視図である。
【図１５】破断ネジの一例を示す正面図である。
【図１６】本発明にかかる遊技機の一例であるパチンコ機の遊技盤の裏面の第１基板ケース、連結取付台座部材、カバー部材および球集合板を外して分解した状態の斜視図である。
【図１７】本発明にかかる遊技機の一例であるパチンコ機の遊技盤の裏面の第１基板ケースおよび連結取付台座部材を外して分解した状態の斜視図である。
【図１８】本発明にかかる遊技機の一例であるパチンコ機の第１基板ケースに連結台座部材を取り付けた状態の斜視図である。
【図１９】本発明にかかる遊技機の一例であるパチンコ機の遊技盤から球集合板、開閉機構、連結取付台座部材を取り付けた第１基板ケースを分離した状態の分解斜視図である。
【図２０】カバー部材の封止構造を示す拡大図である。
【図２１】本発明にかかる遊技機の一例であるパチンコ機の遊技盤の裏面の第１基板ケースを連結取付台座部材ごと外し、さらにカバー部材ごと球集合板を外した状態の斜視図である。
【図２２】本発明にかかる遊技機の一例であるパチンコ機の遊技盤の裏面の第１基板ケースおよびカバー部材を取り付けた球集合板を外した状態の斜視図である。
【図２３】本発明にかかる遊技機の一例であるパチンコ機の遊技盤の裏面の斜視図である。
【図２４】本発明にかかる遊技機の一例であるパチンコ機の遊技盤の裏面に、別の実施態様にかかるカバー部材を設け、第１基板ケースおよび連結取付台座部材をそれぞれ外し、カバー部材を開放した状態の斜視図である。
【図２５】本発明にかかる遊技機の一例であるパチンコ機の第２制御基板ボックスを開放した状態を外側から視た斜視図である。
【図２６】本発明にかかる遊技機の一例であるパチンコ機の第２制御基板ボックスを開放した状態を内側から視た斜視図である。
【図２７】本発明にかかる遊技機の一例であるパチンコ機のボックスカバー（第１ケース）の正面図である。
【図２８】本発明にかかる遊技機の一例であるパチンコ機のボックスカバー（第１ケース）の背面図である。
【図２９】本発明にかかる遊技機の一例であるパチンコ機のボックスベース（第２ケース）の正面図である。
【図３０】本発明にかかる遊技機の一例であるパチンコ機のボックスベース（第２ケース）の背面図である。
【図３１】本発明にかかる遊技機の一例であるパチンコ機のボックスカバー（第１ケース）とボックスベース（第２ケース）とを開位置で重合した状態の背面図である。
【図３２】本発明にかかる遊技機の一例であるパチンコ機のボックスカバー（第１ケース）とボックスベース（第２ケース）とを開位置で重合した状態を背面側から視た斜視図である。
【図３３】本発明にかかる遊技機の一例であるパチンコ機のボックスカバー（第１ケース）とボックスベース（第２ケース）とを閉じた状態の背面図である。
【図３４】本発明にかかる遊技機の一例であるパチンコ機のボックスカバー（第１ケース）とボックスベース（第２ケース）とを閉じた状態を背面側から視た斜視図である。
【図３５】本発明にかかる遊技機の一例であるパチンコ機の第２制御基板ボックスを開放した状態をボックスベース（第２ケース）の外側面に正対して視た図である。
【図３６】本発明にかかる遊技機の一例であるパチンコ機の第２制御基板ボックスを開放した状態をボックスベース（第２ケース）の内側面に正対して視た図である。
【図３７】本発明にかかる遊技機の一例であるパチンコ機のボックスカバー（第１ケース）とボックスベース（第２ケース）とを開位置で重合した状態を正面側から視た斜視図である。
【図３８】本発明にかかる遊技機の一例であるパチンコ機のボックスカバー（第１ケース）とボックスベース（第２ケース）とを開位置で重合した状態の正面図である。
【図３９】本発明にかかる遊技機の一例であるパチンコ機のボックスカバー（第１ケース）とボックスベース（第２ケース）とを閉じた状態を正面側から視た斜視図である。
【図４０】本発明にかかる遊技機の一例であるパチンコ機のボックスカバー（第１ケース）とボックスベース（第２ケース）とを閉じた状態の正面図である。
【図４１】本発明にかかる遊技機の一例であるパチンコ機のボックスカバー（第１ケース）とボックスベース（第２ケース）とを開放した状態を該ボックスベースの外側面に正対して視た図である。
【図４２】本発明にかかる遊技機の一例であるパチンコ機のボックスカバー（第１ケース）とボックスベース（第２ケース）とを開放した状態を外側から視た斜視図である。
【図４３】本発明にかかる遊技機の一例であるパチンコ機の第２制御基板ボックスの下端縁部の状況を示す拡大図である。
【図４４】図４３のＡ−Ａ線部断面図である。
【図４５】脆弱部の別の例を示す概略断面斜視図である。
【図４６】脆弱部の別の例を示す概略断面斜視図である。
【図４７】基板ボックスの構成の別の例を示す模式斜視図である。
【図４８】ボックスカバー（第１ケース）とボックスベース（第２ケース）との嵌合機構の別の例を示す模式部分断面図である。
【発明を実施するための形態】
【００１１】
本発明にかかる遊技機は、手段１として、
外面を形成する複数の板部をそれぞれ有する第１ケースと第２ケースとをつき合わせた状態で内部に制御基板が収容される構成を有する基板ボックスが配設された遊技機であって、
前記第１ケースと第２ケースとの互いにつき合わせられた端縁部またはその端縁部を有する板部の少なくとも一部に、前記端縁部に対して外力が加わった際に当該外力が集中することにより優先的に破断し得る脆弱部を設けたことを特徴とする。
【００１２】
上記手段１の構成によれば、基板ボックスの第１ケースと第２ケースとの互いにつき合わせられた端縁部に例えばドライバなどの器具をこじ入れて該基板ボックスをこじ開けようとすると、この動作により加わった外力が脆弱部に集中して印加されて該脆弱部が優先的に破断し、これにより開封痕跡が残ることとなる。したがって基板ボックスを不正に開封されることを効果的に防止することができる。
またこのとき、脆弱部は、例えばこの部分を比較的に肉薄に成形することにより脆弱に構成するといった簡単な構成によって設けることができる。
【００１３】
また、本発明にかかる遊技機は、手段２として、手段１の遊技機において、
前記基板ボックスが、第１ケースと第２ケースとを閉じた状態に固定し封止する封止手段を備えることを特徴とする。
【００１４】
本発明において、「第１ケースと第２ケースとを閉じた状態に固定し封止する」とは、第１ケースと第２ケースとを一旦閉じた状態に固定すると痕跡を残すことなく固定状態を解除して第１ケースと第２ケースとを閉じた状態から動かすことができないようにすること、即ち基板ボックスを開封するには少なくとも一部を破壊または切断することが必要な状態とすることを意味する。
【００１５】
上記手段２の構成によれば、第１ケースと第２ケースとが封止手段により封止されることで、基板ボックスが破壊ないし切断しない限り開封できない状態となるので、基板ボックスを不正に開封することが困難となるだけでなく、この状態で敢えて不正行為を意図したとしても、基板ボックスを痕跡を残すことなく開封することは放棄するしかなく、したがって基板ボックスを無理にこじ開けようとする傾向がより強くなって、脆弱部がより有効に機能することとなる。
【００１６】
また、本発明にかかる遊技機は、手段３として、手段１または手段２の遊技機において、
前記第１ケースと第２ケースとが、互いにスライドさせるようにして開閉し得るように構成され、第１ケースと第２ケースとを閉じた状態で互いに嵌合させる嵌合機構を備えることを特徴とする。
【００１７】
上記手段３の構成によれば、第１ケースと第２ケースとが嵌合機構により嵌合するようにして閉じた状態に保持されるので、第１ケースと第２ケースとが封止手段により封止されていない場合や、あるいは第１ケースと第２ケースとの封止が破られた場合であっても、単に第１ケースと第２ケースとをスライドさせるだけでは開くことができず、嵌合機構による嵌合を解除することが必要となり、このため第１ケースと第２ケースとを無理にこじ開けようとする傾向が強くなる。したがって、脆弱部がさらに有効に機能することとなる。
【００１８】
また、本発明にかかる遊技機は、手段４として、手段１から手段３のいずれかの遊技機において、
前記脆弱部が、第１ケースまたは第２ケースの端縁部を多数の凸部が連続する櫛形状に形成することによって構成されていることを特徴とする。
【００１９】
上記手段４の構成によれば、多数の凸部を形成することにより、ドライバなどの器具でこじ開けようとすると容易に破断する脆弱部を構成することができる。
【００２０】
また、本発明にかかる遊技機は、手段５として、手段４の遊技機において、
前記多数の凸部が、それぞれの幅および間隔が前記基板ボックスの肉厚以下となるように形成されていることを特徴とする。
【００２１】
上記手段５の構成によれば、各凸部の幅および間隔が前記基板ボックスの肉厚以下となっているので、ドライバ等が挿入しづらくてこじ開け難く、またより脆弱で破断しやすいものとなっている。
なお、上記基板ボックスの肉厚や構成材料によっては、凸部の強度が不十分となったり成形が困難となったりすることもあるため、このような場合には、幅を基板ボックスの肉厚以上としたり、間隔を基板ボックスの肉厚以上とすることも、本発明は排除するものではない。
【００２２】
また、本発明にかかる遊技機は、手段６として、手段４または手段５の遊技機において、
前記第１ケースまたは第２ケースの多数の凸部に噛み合うようにして、第２ケースまたは第１ケースの端縁部に、多数の凸部が形成されていることを特徴とする。
【００２３】
上記手段６の構成によれば、第１ケースおよび第２ケースの双方に、凸部の形成により脆弱部としての機能が付与され、より確実に当該機能を奏することができる。また、第１ケースおよび第２ケースのそれぞれに形成された凸部が互いに噛み合うようになっていることで、この凸部形成部において基板ボックスをより確実に閉塞する構造とすることができる。
【００２４】
また、本発明にかかる遊技機は、手段７として、手段１から手段６のいずれかの遊技機において、
前記第１ケースと第２ケースとが、互いにスライドさせるようにして開閉し得るように構成され、第１ケースおよび／または第２ケースの端縁部に、上記スライド方向に沿って延出する延出片が形成され、第２ケースおよび／または第１ケースの端縁部に、上記延出片が挿入され嵌合する嵌合部が形成されていることを特徴とする。
【００２５】
上記手段７の構成によれば、第１ケースおよび第２ケースの端縁部同士が、延出片が嵌合部に挿入され嵌合することにより、スライド方向にのみ移動し得るように規制される。したがって、第１ケースと第２ケースとを不正に開こうとする場合に、第１ケースと第２ケースとを端縁部からスライド方向に無理にこじ開けようとする傾向も強くなり、脆弱部をより有効に機能させることができる。
【００２６】
また、本発明にかかる遊技機は、手段８として、手段１から手段７のいずれかの遊技機において、
前記脆弱部が、第１ケースと第２ケースとの端縁同士が互いにつき合わせられて基板ボックスを閉塞する位置よりも外方へ延出するようにして設けられていることを特徴とする。
【００２７】
上記手段８の構成によれば、脆弱部が破断した場合でも、これより内側で基板ボックスが閉塞した状態となっているので、制御基板を収容する基板ボックスとしての基本的な機能が損なわれることがなく、脆弱部の破断によって開口が形成されて該開口から不正な進入がなされるということもない。
【００２８】
また、本発明にかかる遊技機は、手段９として、手段１から手段８のいずれかの遊技機において、
前記第１ケースと第２ケースとが、スライド動作および回動動作を経て開閉し得るように構成されていることを特徴とする。
【００２９】
上記手段９の構成によれば、第１ケースと第２ケースとをスライド動作および回動動作の２動作を経て開閉する構造としたことにより、基板ボックスをより開きづらくすることができ、不正な開放をより確実に防止することができる。特に、回動動作は前後方向にスペースを必要とするため、例えば基板ボックスの裏面側にカバー等の部材が配置されていれば、基板ボックスを回動させづらい構造となる。
【００３０】
また、本発明にかかる遊技機は、手段１０として、手段１から手段９のいずれかの遊技機において、
前記脆弱部が、第１ケースまたは第２ケースの端縁部を比較的に肉薄に成形することによって構成されていることを特徴とする。
【００３１】
上記手段１０の構成によれば、脆弱部の構成がよりシンプルとなって容易に成形することができる。
【００３２】
また、本発明にかかる遊技機は、手段１１として、手段１から手段１０のいずれかの遊技機において、
遊技機がパチンコ機であることを特徴とする。
【００３３】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【００３４】
パチンコ機にあっては、基板ボックスの第１ケースと第２ケースとの互いにつき合わせられた端縁部またはその端縁部を有する板部の少なくとも一部に、上記端縁部に対して外力が加わった際に当該外力が集中することにより優先的に破断し得る脆弱部を設けたので、基板ボックスをこじ開けようとするとこの動作により加わった外力が脆弱部に集中して印加されて該脆弱部が優先的に破断して開封痕跡が残ることとなり、したがって、簡単な構成によって基板ボックスの不正な開封を確実に防止することができるようにしたパチンコ機が得られる。
【００３５】
また、本発明にかかる遊技機は、手段１２として、手段１から手段１０のいずれかの遊技機において、
遊技機がスロット機であることを特徴とする。
【００３６】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【００３７】
スロット機にあっては、基板ボックスの第１ケースと第２ケースとの互いにつき合わせられた端縁部またはその端縁部を有する板部の少なくとも一部に、上記端縁部に対して外力が加わった際に当該外力が集中することにより優先的に破断し得る脆弱部を設けたので、基板ボックスをこじ開けようとするとこの動作により加わった外力が脆弱部に集中して印加されて該脆弱部が優先的に破断して開封痕跡が残ることとなり、したがって、簡単な構成によって基板ボックスの不正な開封を確実に防止することができるようにしたスロット機が得られる。
【００３８】
また、本発明にかかる遊技機は、手段１３として、手段１から手段１０のいずれかの遊技機において、
遊技機がパチンコ機とスロット機を融合させた遊技機であることを特徴とする。
【００３９】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【００４０】
パチンコ機とスロット機を融合させた遊技機にあっては、基板ボックスの第１ケースと第２ケースとの互いにつき合わせられた端縁部またはその端縁部を有する板部の少なくとも一部に、上記端縁部に対して外力が加わった際に当該外力が集中することにより優先的に破断し得る脆弱部を設けたので、基板ボックスをこじ開けようとするとこの動作により加わった外力が脆弱部に集中して印加されて該脆弱部が優先的に破断して開封痕跡が残ることとなり、したがって、簡単な構成によって基板ボックスの不正な開封を確実に防止することができるようにした、パチンコ機とスロット機を融合させた遊技機が得られる。
【００４１】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００４２】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００４３】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００４４】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００４５】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００４６】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００４７】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２Ｂ内に嵌まり込むようにして取り付けられている。
つまり、この前面枠１４の側面の少なくとも一部が内枠１２の外側壁（リブ）１２Ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００４８】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４９】
図４に示すように、内枠１２は、外形が矩形状の樹脂ベース２０を主体に構成されており、樹脂ベース２０の中央部には略円形状の窓部孔２１が形成されている。そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００５０】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００５１】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００５２】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００５３】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００５４】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００５５】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００５６】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００５７】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００５８】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００５９】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００６０】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００６１】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００６２】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００６３】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００６４】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００６５】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００６６】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００６７】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００６８】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００６９】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００７０】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００７１】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７２】
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００７３】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００７４】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００７５】
図５に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００７６】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００７７】
第１制御基板ユニット２０１は、遊技盤３０の裏面側に配設され、略Ｌ字状をなす取付台を有し、この取付台に主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケース２０１Ａに収容された構成とされる。
【００７８】
第２制御基板ユニット２０２は、取付台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００７９】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００８０】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００８１】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００８２】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００８３】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００８４】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００８５】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００８６】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００８７】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００８８】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００８９】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００９０】
前記第１制御基板ユニット２０１は、第１制御基板ユニット２０１Ａ、後述の開閉機構４１０および連結取付台座部材４３０を含み、第１制御基板ユニット２０１Ａは、第１制御基板ユニット２０１の主要部をなす部材であり、図８乃至図１６に示すように、外側ケース７０および内側ケース８５を含む。この実施例では、外側ケース７０が主制御装置２６１の制御基板８０を収容する容積のある方であり、内側ケース８５がその蓋体に相当する方である。
この第１制御基板ユニット２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１制御基板ユニット２０１Ａを破壊するか或いは所定の部位を切断することを必要とするものである。
【００９１】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【００９２】
図８は、遊技球が流下する遊技領域を前面側に形成してある遊技盤３０の裏面の斜視図である。図９は、第１制御基板ユニット２０１Ａを開閉機構４１０から取り外した状態を示す。
【００９３】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１６に示すようにそのコの字の底板部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００９４】
前記第１部材としての支持体４１２のコの字の底板部分にはネジ孔が設けられ、図１６に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結取付台座部材４３０に対する）に構成され、その第１係合部４１４には、図１７に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【００９５】
上記構造とすることにより、球集合板４６０を遊技盤３０に取り付けた後は支持体４１２が外側から取り外せない状態となるので、例えば後述する第１制御基板ユニット２０１Ａを不正に取り外したりすることがより困難となる。
【００９６】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【００９７】
破断ネジは、螺合させて締結（本締め）するのに必要な程度のトルクで回転させて締結した後、さらに大きい所定の高トルクで回転させると破断する脆弱部を備えるネジであり、具体的には例えば図１５に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する脆弱部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると脆弱部Ｋ１３で破断して外側頭部Ｋ１１が離脱し、以降はドライバにより破断ネジＫを回転させることができずその取り外しが不可能となる。
【００９８】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１７に示すように、前記支持体４１２に枢支連結される一枚の支持板からなる支持部４１３Ａが形成されており、その支持部４１３Ａは、ブラケット本体部から直角に折り曲げられて側面視で門型に形成されている。
【００９９】
尚、前記第１制御基板ユニット２０１Ａは、既述の通り、外側封印部７１を備える外側ケース７０と内側封印部８６を備える内側ケース８５を有し、主に外側ケース７０の内部に遊技を制御する制御基板を収容する構成のものである。
【０１００】
次に、図９乃至図１９に基づいて、連結取付台座部材４３０について述べる。
この連結取付台座部材４３０は、前記開閉機構４１０と前記第１制御基板ユニット２０１Ａとにそれぞれ連結されるものであり、言わば従来から用いられていた基板ケースを取り付けるための取付台座に相当するものであって、合成樹脂で成型されており、ここでは、幅は、前記第１制御基板ユニット２０１Ａの幅と実質的に同じ幅（約１５０ｍｍ）で、長さが約４８ｍｍ（第１制御基板ユニット２０１Ａの長手方向に向かう長さ）、厚みが１３ｍｍ、肉厚は、２ｍｍのものであり、第１制御基板ユニット２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【０１０１】
前記第１制御基板ユニット２０１Ａのうち、前記連結取付台座部材４３０と連結封止される部位である第１取付台座封止部４５０が、その内側ケース８５の端部に設けられており、ここでは該第１制御基板ユニット２０１Ａの幅方向に、所定の間隔を隔てて４個突設されている。この第１取付台座封止部４５０は、外側ケース７０の外側封印部７１と内側ケース８５の内側封印部８６との位置と平面視で位相がずれるように変位して配置されており、
従って、第１制御基板ユニット２０１Ａを背面から（遊技機の背面から）見たときに、前記外側封印部７１と内側封印部８６に重なることなく、視認できる状態にある。即ち、前記外側封印部７１と内側封印部８６の位置する側に前記第１取付台座封止部４５０が配置され、且つ、前記第１制御基板ユニット２０１Ａの背面視（正面）において、前記第１取付台座封止部４５０が見えるように前記外側および内側封印部７１、８６と平面位相をずらせて配置されているのである。
【０１０２】
そして、前記連結取付台座部材４３０には、前記第１制御基板ユニット２０１Ａの前記第１取付台座封止部４５０と連結封止される部位である第２取付台座封止部４３２が、ここでは、４個が、前記４個の第１取付台座封止部４５０と対応する位置に突設されている。この１個の第２取付台座封止部４３２の構造は、この連結取付台座部材４３０の本体に繋がるリブに、有底のネジ止め凹部を有する突起体が一体成型されており、そのリブの底面と有底板分の底面は面一で、且つ、前記収容部４３１のリブ及び周壁のレベルと面一とされている。
そして、前記第１、及び第２取付台座封止部４５０、４３２は、破断ネジを用いて連結封止される。
【０１０３】
前記連結取付台座部材４３０の内部に、前記開閉機構４１０の前記第１係合部４１４と係合する部位である第２係合部４３３が設けられる。この第２係合部４３３は、この実施例では、後述する第１被覆部材４３０Ａとは別体成型の第２被覆部材４３０Ｂに取り付けられる。勿論、別体の第２被覆部材４３０Ｂが存在せず、第２係合部４３３が連結取付台座部材４３０の樹脂成型時に埋め込まれたり、或いは、それ自体の弾性変形を利用して、連結取付台座部材４３０に形成された挿入部４３４の内部に挿入設置されるように構成されてもよいものである。
【０１０４】
前記第２係合部４３３は、ここでは、弾性を備えた一枚の薄い板体（鋼板）を折曲成形して構成されている。即ち、概略縦長の長方形の板体の一方長辺に沿って延びる帯状部を直角に折曲し、さらにこの帯状部の両端部を内側方向（板体の他方長辺側方向）へ９０度未満の小角度（例えば２０〜６０度程度）だけ折曲して弾性係合爪を形成した構成となっている。一方、前記第１係合部４１４は、金属製の平板状体で構成され、そこに切り欠き係合部４１５が形成され、該切り欠き係合突片部４１５に前記第２係合部４３３の係合爪を係合させることによって、抜け出し防止の規制機構４４０Ｄが構成されている。そして、前記開閉機構４１０の前記第１係合部４１４を挿入して前記連結台座部材４３０の内部の前記第２係合部４３３に係合させるために前記連結台座部材４３０に、挿入部４３４が形成されている。
【０１０５】
このように、前記規制機構４４０Ｄは、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【０１０６】
なお図１０には、図示を明確化するため、第１係合部４１４を前記挿入部４３４に挿入した状態で、第２部材すなわちブラケット４１３ごと第１制御基板ユニット２０１Ａが球集合板４６０から分離した状態が示されているが、実際のパチンコ機１０においては、ブラケット４１３は第１制御基板ユニット２０１Ａ側（連結取付台座部材４３０）よりも先に、球集合板４６０側（第１部材すなわち支持体４１２）に取り付けられた構造となっている。
【０１０７】
ここで、更に、前記連結取付台座部材４３０について詳述する。前記第２係合部４３３を被覆するべく前記連結取付台座部材４３０には、第１被覆部材４３０Ａと第２被覆部材４３０Ｂが備えられている。第１被覆部材４３０Ａが前記連結取付台座部材４３０に一体形成されたもので、第２被覆部材４３０Ｂは、前記連結取付台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【０１０８】
そして、この第２被覆部材４３０Ｂに、前記第２係合部４３３が設けられるが、その第２係合部４３３の薄板を、第２被覆部材４３０Ｂに形成した係止突片４３０Ｃに、その入口の側からスライド挿入して係止させ、且つ、ネジ止めされる。
前記第２被覆部材４３０Ｂは、前記第１被覆部材４３０Ａよりも小さく構成され、前記連結取付台座部材４３０と前記第１制御基板ユニット２０１Ａとが連結した状態においては、前記第２被覆部材４３０Ｂの取り外し方向側に前記第１制御基板ユニット２０１Ａが位置された状態となり、前記第１制御基板ユニット２０１Ａと前記第１被覆部材４３０Ａとにより被覆された状態となるように構成されているものである。
【０１０９】
また、前記連結取付台座部材４３０は、前記第１制御基板ユニット２０１Ａよりも小さく構成され、前記第１制御基板ユニット２０１Ａのうち、基板裏面側で一端側に寄せて連結されるように構成されているものである。
【０１１０】
更に、上述した通り、前記第１及び第２被覆部材４３０Ａ、４３０Ｂを透明樹脂により成型し、これらに被覆される第２係合部４３３を金属製の係合部材により構成してある。
前記第１制御基板ユニット２０１Ａの側面に、係止リブ４２０、４２０、４２０が前記連結取付台座部材４３０の略周部に沿って配置されて突出するように備えられ、該係止リブ４２０、４２０、４２０に所定の方向、即ち、第１制御基板ユニット２０１Ａの裏面に沿って第１、第２取付台座封止部や第１連結部の位置する側から第１制御基板ユニット２０１Ａの中央側に向けてスライド移動させることによって、係合するリブ係合部４３５が前記連結取付台座部材４３０の側部に設けられると共にその一つの係止リブ４２０が、前記連結取付台座部材４３０の収容部４３１の周壁の内側に形成されたリブ係合部４３６に係合するように設けられている。
【０１１１】
前述の別体構成の前記第２被覆部材４３０Ｂの両側部にカム面を備えた係合片４３０Ｄ、４３０Ｄが突設され、前記連結取付台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結取付台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【０１１２】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２取付台座封止部４５０、４３２により連結封止することによって、第１制御基板ユニット２０１を不正品に交換されることを防止できる。
【０１１３】
更に、連結取付台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１制御基板ユニット２０１Ａおよび開閉機構４１０、即ち第１制御基板ユニット２０１ごと不正に持ち去ることを防止できるのである。
【０１１４】
次に、第１被覆部材４３０Ａが前記連結取付台座部材４３０に一体形成されるのに対し、第２被覆部材４３０Ｂが前記連結取付台座部材４３０に組み合わせるよう別体構成とされることで、第２係合部４３３を被覆することを行い得ながら、第２係合部４３３を第２被覆部材４３０Ｂに備えておいて、これを後に組み合わせるという作業で、この、第２係合部４３３を前記連結取付台座部材４３０の内部に備えることができる。
【０１１５】
また、前記連結取付台座部材４３０と前記第１制御基板ユニット２０１Ａとが連結した状態においては、第２被覆部材４３０Ｂが前記第１制御基板ユニット２０１Ａの側に位置して、前記第１被覆部材４３０Ａとで挟まれた状態となって第２係合部４３３の被覆が行われ、その被覆が容易に外れない。
【０１１６】
更に、連結取付台座部材４３０は、前記第１制御基板ユニット２０１Ａよりも小さく構成され、前記第１制御基板ユニット２０１Ａのうち、基板裏面側で一端側に寄せて連結される構成であるので、従来のような基板ケースと同等の大型の取付台座を必要とすることがない状態で、その第１制御基板ユニット２０１Ａの開閉を行い得るのである。
【０１１７】
更に、前記第１及び第２被覆部材４３０Ａ、４３０Ｂを透明樹脂により成型し、これらに被覆される第２係合部４３３を金属製の係合部材により構成してあることで、第１係合部４１４と第２係合部４３３の係合状態が確実におこなわれているかどうか外部から視認でき、また、強固な係合がされていることが視認されることで、安易な取り外しが行われないようにすることができる。
【０１１８】
また、前記第２係合部４３３を板金で構成してその一部を変形させることで第１係合部４１４に対する係合を行う構成であるので、極めて構造が簡単であり、同時に、係合状態の解除が容易に行われないものである。
【０１１９】
更に、挿入部４３４の入口をテーパ状として、且つ、案内リブを設けることで、第１係合部４１４の挿入を容易にすることができると共に内部への侵入がガイドされてスムースに行い得るのである。
【０１２０】
また、外側ケース７０の前記外側封印部７１と内側ケース８５の内側封印部８６の位置する側に前記第１取付台座封止部４５０及び第２取付台座封止部４３２が配置されるものの、前記第１、及び第２取付台座封止部４５０、４３２が見えるように前記外側および内側封印部と平面位相をずらせて配置されていることで、前記第１、及び第２取付台座封止部４５０、４３２が前記第１制御基板ユニット２０１Ａの背面視（正面）において、視認可能となり、前記第１、及び第２取付台座封止部４５０、４３２が不正に解除されているかどうか容易に分かるのである。
【０１２１】
また、第１制御基板ユニット２０１Ａの側面に、係止リブ４２０を突出するように設け、前記連結取付台座部材４３０を係止させて位置決めすることができ、その後の前記第１取付台座封止部４５０及び第２取付台座封止部４３２の連結が行い易いのである。
【０１２２】
更に、前記第２被覆部材４３０Ｂを連結取付台座部材４３０に取り付けるに、第２被覆部材４３０Ｂのカム面を備えた係合片４３０Ｄと、連結取付台座部材４３０の前記係合片４３０Ｄに係合する係合部４３０Ｅの存在によって、第２被覆部材４３０Ｂを連結取付台座部材４３０に向けて押圧するだけで、素材の弾性変形でもって係合が行われることになり、簡単に組み付けができる。
【０１２３】
また、連結取付台座部材４３０に、破断ネジ４３９を収容する収容部４３１を設けることで、第１制御基板ユニット２０１Ａの定期検査等で封止を解いた後に、そこから破断ネジ４３９をとり出して、再び新たな第１取付台座封止部４５０と第２取付台座封止部４３２との封止を行うことができる。
【０１２４】
（開閉機構の一部変形例）
上記開閉機構４１０の他端側である第２部材、第１、第２取付台座封止部４５０,４３２を、破断ネジで連結させてもよい。
【０１２５】
また、第１取付台座封止部４５０に形成された切断部４５０Ａ（図９他参照）を切断して、破断ネジは第２取付台座封止部及び第２部材に残すようにすれば連結封止を解除できる。 更に、別の変形例として、第１、第２連結部の両方に切断部を形成し、破断ネジを第２部材に残すようにしてもよい。
【０１２６】
また、この例では、第１係合部４１４を構成する金属製の平板状体を方形状に打ち抜いて開口係合部４１７が形成されており、該開口係合部４１７に前記第２係合部４３３の舌片４３３ｄの係合爪を係合させることによって、抜け出し防止の規制機構４４０Ｄが構成されている。
【０１２７】
遊技盤３０の裏面と第１制御基板ユニット２０１との間には、カバー部材５０１が介装されている。図１４及び図１６に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記カバー部材５０１は、この球集合板４６０と第１制御基板ユニット２０１との間の間隙を補填するためのものであり、当該間隙にほぼ対応した寸法を有するものとなっている。
【０１２８】
上記カバー部材５０１を設けた主たる目的は、球集合板４６０の裏面に設けられた種々の電気部品、例えば、遊技盤３０の表面に設けられた電飾用の基板等の電気部品、配線などを保護することになる。即ち、この球集合板４６０の裏面に露出された状態に配置されているものであるから、裏面側からアタック（多の部品の組み付け時、或いは基板ケースの開閉時）に際して、破損、破断が生じる虞がある。
【０１２９】
この他に、球集合板４６０の裏面中央には、中継基板４７０、これにつながるコネクタ、配線が設けられている。ここでは、中継基板４７０は、表裏２段配置に構成されており、裏面側（外側）では、第１制御基板ユニット２０１からの入力を、大入賞口作動のための中継とし、また一部の電飾に中継し、また、入球を検知するセンサーの出力を中継している。同様に、内側の中継基板については、電飾等の中継を行う。
また、球集合板４６０の裏面に露出されている基板としては、大当たりに際して開く大入賞口装置４７１（図５参照）のための制御（ソレノイド、センサー）を行う中継基板４７３がある。これらの中継基板４７０、中継基板４７３については、この実施例では、前記カバー部材５０１の被覆対象外となっている。即ち、これらの中継基板４７０、中継基板４７３を覆いから外すように、即ち、その中継基板４７０に対しては、このカバー部材５０１の一部を凹ませた形状とし、その中継基板４７３については、中抜き形状（窓）として、そのカバー部材５０１の形状が採られている。
【０１３０】
上記カバー部材５０１は、球集合板４６０に対向する面が開放された概略横長で中空体（箱形）に形成され、その上端部にはほぼ矩形状の切欠部５１１が形成されている。この切欠部５１１は、球集合板４６０と第１制御基板ユニット２０１とを電気的に接続するスペースを確保するためのものである。
【０１３１】
上記カバー部材５０１の内部には、図１４に示すように、複数のリブ５１２が形成されている。このリブ５１２は、カバー部材５０１の補強の機能だけでなく、該カバー部材５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１３２】
上記カバー部材５０１は透明樹脂よりなるものであり、これにより、内部での不正行為の有無等が外側から容易に視認することができ、したがって不正をより効果的に防止し得るようになっている。
【０１３３】
上記カバー部材５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１６では右側端部）には、上下１対の軸４６２がそれぞれ上方に突出するように設けられており、この軸４６２に前記カバー部材５０１のブラケット５１３が挿通されている。これにより、上記カバー部材５０１は一方端部で軸４６２を中心として水平面上で回動可能に軸支され開閉可能となっている。即ち、該カバー部材５０１の開閉軸線はパチンコ機１０の背面からみて前記開閉機構４１０形成側端部の反対側（図１４および図１６の右側）で上下に延びるように設定されており、この開閉軸線を軸心にしてカバー部材５０１が後方側に十分に開放できるようになっている。
【０１３４】
前記第１制御基板ユニット２０１Ａは、図１３に示すように開閉機構４１０により該開閉機構４１０形成側端部（図１３では左側端部）で回動させて一方側へ（図１３では左方に）開放し得るようになっているが、上記のようなカバー部材５０１の支持構造とすることにより、該カバー部材５０１は図１４に示すように第１制御基板ユニット２０１Ａとは逆方向に（図１４では右方に）開放し得るようになっている。すなわち、該カバー部材５０１と第１制御基板ユニット２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１３５】
上記カバー部材５０１の自由端部側（図９及び図１１では左端部側）およびこれに対応する球集合板４６０上の位置には、カバー部材５０１と球集合板４６０とを封止するための封止手段が設けられている。この封止手段は、第１封止部５２０Ａと第２封止部５２０Ｂとを有している。この第１封止部５２０Ａおよび第２封止部５２０Ｂについて以下順次説明する。
【０１３６】
図２１に示すように、第１封止部５２０Ａは、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されている。
【０１３７】
カバー部材５０１の自由端において球集合板４６０に当接する上下２箇所のコーナー部からは、それぞれ、上下１組の方形状の延出片が、互いに平行となるように、水平に平伏した状態で、カバー部材５０１の長さ方向に沿って延出し、上下１組の延出片のうち内側に位置する延出片の先端部が外方に屈曲して外側の延出片に向かって延び、これら上下の延出片の先端部分が、カバー部材５０１の奥行方向に沿って延びる円筒状部を支持するような形状となるように、カバー部材５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１３８】
一方、球集合板４６０において上記カバー部材５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底板にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底板にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記カバー部材５０１の挿入部５１４に螺合し、これによりカバー部材５０１の自由端部が球集合板４６０に固定されるようになっている。
【０１３９】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、カバー部材５０１と球集合板４６０とが封止されるようになっている。一方、たとえば球集合板４６０の裏側の点検などを目的としてカバー部材５０１を開放する場合には、前記切断部５１４Ａを切断することにより、カバー部材５０１と球集合板４６０との封止状態を外側から（パチンコ機１０の背面側から）、痕跡を残しながら解除することができる。
【０１４０】
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１４１】
第２封止部５２０Ｂは、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。
【０１４２】
カバー部材５０１の自由端は、高さ方向における中段をなす帯域部分が内側に陥入して、正面視概略コ字状の形状を有しており、その陥入部分の底板から、高さ方向に長く延びる概略直方体状の基台部５１５Ｂが外側（カバー部材５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、カバー部材５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち、例えば遊技盤３０の裏面に対し平行となるように、底壁５１５Ｄが設けられ、該底壁５１５Ｄにはネジ挿通孔（図示せず）が穿設されている。
【０１４３】
上記周壁部５１５Ｃを含む上下の延出片および底壁５１５Ｄにより、破断ネジ挿通部５１５が構成されている。上記上下の延出片は、前記第１封止部５２０Ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０Ｂの切断部５１５Ａとなっている。
【０１４４】
一方、図１６に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（カバー部材５０１側）へ延出する円筒状に形成され、その内部にはネジ溝が設けられて破断ネジ５２２が螺入され得るようになっている。
【０１４５】
図２１に示すように、カバー部材５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（カバー部材５０１側）から挿通されて螺入部４６３に螺入され、これによりカバー部材５０１が球集合板４６０に固定される。破断ネジ５２２は所定の高トルクで回転させることにより外側頭部５２２Ａと内側頭部５２２Ｂとの間で破断して外側頭部５２２Ａが分離し、内側頭部５２２Ｂが破断ネジ挿通部５１５の内部に収容された状態で残留する。この状態では、ドライバによって破断ネジ５２２を回転させることはできず、しかも内側頭部５２２Ｂは破断ネジ挿通部５１５の周壁部５１５Ｃで包囲されているため、痕跡を残さずに破断ネジ５２２を取り除くことは不可能である。これにより、カバー部材５０１と球集合板４６０とが封止された状態となる。一方、前記切断部５１５Ａを切断することにより、カバー部材５０１と球集合板４６０との封止状態を痕跡を残しながら解除することができる。
【０１４６】
カバー部材５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０Ａが設けられている。さらに、下段の突出部分の先端面において、第１封止部５２０Ａの上方の位置に、破断ネジ挿通部５１６が設けられている。この破断ネジ挿通部５１６は、前記陥入部分の底板に設けられた破断ネジ挿通部５１５とほぼ同様の上下の延出片（周壁部を含む）および底壁を有する構成となっている。
【０１４７】
また、図１６に示すように、球集合板４６０において上記カバー部材５０１の下段の突出部分に設けられた破断ネジ挿通部５１６に対応する位置には螺入部４６４が設けられており、この螺入部４６４は前記螺入部４６３と同様に、背面側（カバー部材５０１側）へ延出する円筒状に形成され、その内部にはネジ溝が設けられて破断ネジ５２２が螺入され得るようになっている。本実施形態に示す第２封止部５２０Ｂは、カバー部材５０１の陥入部分の底板に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点でカバー部材５０１と球集合板４６０との封止がなされ得るようになっている。
【０１４８】
上記カバー部材５０１の陥入部分の底板に設けられた上下の破断ネジ挿通部５１５は、図９および図１１に示すように、前記開閉機構４１０におけるブラケット４１３の上下の支持部４１３Ａの間に挟持されるような位置に形成され、これら支持部４１３Ａの間のスペースをほぼ閉塞し、第１制御基板ユニット２０１Ａを枢着する軸４１１であるリベットの頭部に近接している。
【０１４９】
図９乃至図１１ならびに図２２に示すように、上記カバー部材５０１の外側面（第１制御基板ユニット２０１Ａ側面）における固定端部（図９、図１１及び図２２では右側端部）には、先端に係止爪が形成された矩形状の係止片５１７が後方に（第１制御基板ユニット２０１Ａ側に）突出するように配設され、一方、第１制御基板ユニット２０１Ａの内側ケース８５の自由端部には、矩形状の突起部８５１が側方に（図２２では右方に）突出するように配設されており、図２３に示すように該係止片５１７が突起部８５１に弾性的に係止し得るようになっている。この係止片５１７は、カバー部材５０１に一体成型されている。
【０１５０】
また、上記カバー部材５０１の外側面における自由端部には、図１１に示すように、矩形状凹部５１８が形成されている。この矩形状凹部５１８は、前記連結取付台座部材４３０の長さ（約４８ｍｍ）および厚み（約１３ｍｍ）にそれぞれほぼ等しい長さ（カバー部材５０１の長手方向に沿った長さ）および深さを有し、図９に示すように、内部に連結取付台座部材４３０をほぼ隙間なく収容することができ、収容状態で該連結取付台座部材４３０の外側面（開放側面）とカバー部材５０１の外側面とが面一となるようになっている。これにより、第１制御基板ユニット２０１Ａとの間にできる限り間隙が形成されないようになっている。
【０１５１】
（カバー部材の一部変形例）
図２５に示すように、上記カバー部材５０１の内部に形成するリブの数を少なくするようにしてもよい。図２５に示す例では、リブの形成が前記実施例の場合よりも大幅に少なく、これに応じて区画された室数も少なくなっている。さらには、カバー部材５０１の内部にリブを形成せず、内部空間を区画しないようにしてもよく、あるいは、カバー部材の内部に適宜な材料を充填して内部空間を実質的になくすようにしてもよい。
【０１５２】
また、上記図２５に示す例では、カバー部材５０１内の壁面に、第２封止部５２０Ｂ用の破断ネジ５２２を収容する破断ネジ収容部５２１が、ここでは３個形成されており、そこに破断ネジ５２２がそれぞれ１本づつセットされるようになっている。これにより、カバー部材５０１の封止を解除して開放するごとに、破断ネジを１本ずつ取り出し第２封止部５２０Ｂの３箇所の破断ネジ挿通部５１５、５１６に挿通・螺合して次の封止を行うようにすることができ、未使用の破断ネジ５２２は封止した状態のカバー部材５０１の内部に確実に保持しておくことができる。この破断ネジ収容部５２１は、例えば、１本の破断ネジのみを収容する構成としてもよく、この場合にも、破断ネジを未使用の段階ではカバー部材の内部に保持しておくことができる。
【０１５３】
また、上記パチンコ機１０においては、カバー部材５０１の一方端部およびこれに対応する球集合板４６０の位置に、第１および第２封止部５２０Ａ、５２０Ｂで構成される封止手段を設けた構造としていたが、これと同様のまたは異なる封止手段を他方端部にも設け、これにより、カバー部材５０１の両端部を封止した状態で固定する構造とするようにしてもよい。この場合、前記カバー部材５０１の開閉構造（回動可能に軸支した構造）を設けた端部にさらに封止手段を設けるようにしてもよいが、両端部が封止手段により固定されるため、開閉構造は省略することができる。
【０１５４】
上記パチンコ機１０においては、遊技盤３０の裏面の球集合板４６０の裏面を覆うようにカバー部材５０１が設けられていることにより、球集合板４６０の裏面に配置された中継基板、配線等の電気部品を保護することができ、他の電気部品の組み付け、或いは外部からの他物の接触による電気部品の破損、断線が防止できるのである。 即ち、パチンコ機１０の組立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると、作業性が良好となるが、このような場合に、電気部品も少なくとも一部がカバー部材５０１で覆われるようにすることで、電気部品がカバー部材５０１によって保護され、取り付け作業時に電気部品が破損されることが防止される。
【０１５５】
又、遊技盤３０の裏面と第１制御基板ユニット２０１との間の間隙が補填され、これによって、不正行為を行い得るようなスペースが形成されないようになっている。
さらに、このカバー部材５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１５６】
さらに、封止手段が第１封止部５２０Ａと第２封止部５２０Ｂとを有し、第１封止部５２０Ａが、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、カバー部材５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的としてカバー部材５０１を開放する場合に、切断部５１４Ａを切断することによって痕跡を残しながらカバー部材５０１の封止状態を解除することができる。また、球集合板４６０が遊技盤３０に取り付けられていない状態ではカバー部材５０１を自在に開放し得るため、作業性が良好である。
【０１５７】
さらに、第２封止部５２０Ｂが、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、カバー部材５０１を破断ネジ５２２により球集合板４６０に外側から固定することができ、これにより、容易にカバー部材５０１を封止した状態で固定することができる。このとき、前記球集合板４６０が遊技盤３０に取り付けられた状態であっても、カバー部材５０１を破断ネジ５２２により球集合板４６０に外側から封止・固定することができるので、たとえば前記第１封止部５２０Ａによる封止状態を解除した後に、第２封止部５２０Ｂによって再度カバー部材５０１と球集合板４６０とを封止することができる。一方、たとえば球集合板４６０の裏側の点検などを目的としてカバー部材５０１を開放する場合には、切断部５１５Ａ、５１６Ａを切断することによって痕跡を残しながらカバー部材５０１の封止状態を解除することができる。
【０１５８】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、またカバー部材５０１は封止した状態で固定されているため、破断ネジ挿通部５１５を取り除こうとしても痕跡を残さずにこれを取り除くことは困難となっている。したがって不正行為がさらに効果的に防止される。
【０１５９】
さらに、カバー部材５０１の内部に、第２封止部５２０Ｂ用の破断ネジ５２２を１本またはそれ以上収容する破断ネジ収容部５２１が配設されていることにより、破断ネジ収容部５２１に破断ネジ５２２を収容しておくようにすれば、カバー部材５０１の封止を解除して開放するごとに、破断ネジ５２２を１本ずつ取り出して次の封止を第２封止部５２０Ｂで行うようにすることができ、未使用の破断ネジ５２２がある段階ではこれを封止した状態のカバー部材５０１の内部に確実に保持しておくことができる。
【０１６０】
さらに、カバー部材５０１のコーナー部に第１封止部５２０Ａが設けられ、コーナー部以外に第２封止部５２０Ｂが設けられていることにより、第１封止部５２０Ａによってカバー部材５０１をコーナー部で容易かつ確実に封止することができるとともに、このカバー部材５０１の封止を第２封止部５２０Ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１６１】
さらに、カバー部材５０１が中空体に成形され、内部がリブ５１２により多数の室に区画された構成としたことによって、カバー部材５０１の内部に不正基板を設置するのに十分なスペースが形成されておらず、したがって不正行為を効果的に防止することができる。
【０１６２】
さらに、カバー部材５０１が、球集合板４６０に対向する面が開放された構成としたことにより、カバー部材５０１を閉じた状態では上記開放された面も球集合板４６０に当接して閉塞されるため、カバー部材５０１の内部に不正基板を設置する等の不正行為は困難となっている。このとき、前記したようにカバー部材５０１の内部がリブ５１２により多数の室に区画されていても、カバー部材５０１の開放部分が外部に露出しておればそこからリブ５１２を切断して不正行為のためのスペースを確保されるおそれがあるが、上記のようにカバー部材５０１の開放面を球集合板４６０に対向させることにより、リブ５１２を切断することも困難となっている。
【０１６３】
さらに、カバー部材５０１と第１制御基板ユニット２０１とが、たがいに左右逆方向に開閉される開閉構造を有する構成としたことにより、カバー部材５０１および第１制御基板ユニット２０１のそれぞれを開放した状態における荷重が左右いずれか一方の端部に集中せず、左右両端部に分散することとなる。よって、たとえば点検などに際してカバー部材５０１および第１制御基板ユニット２０１を開放する場合等に、これらカバー部材５０１および第１制御基板ユニット２０１の荷重により球集合板４６０に変形が生じるといった不具合が防止される。球集合板４６０に変形が生じると、遊技球の排出に不具合をきたすおそれがある。
【０１６４】
さらに、第１制御基板ユニット２０１の一方端部が軸４１１により回動可能に枢着され、カバー部材５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、カバー部材５０１が不正に取り外されたとした場合、第１制御基板ユニット２０１の自由端部が保持されずに遊離した状態となるため、不正行為が容易に発覚することとなり、したがって不正を行うことがより困難となる。
【０１６５】
また、パチンコ機１０の組み立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がカバー部材５０１で覆われるようにすることで、電気部品がカバー部材５０１によって保護され、取り付け作業時に電気部品が破損されることが防止される。
なお、図２３には、球集合板４６０にカバー部材５０１および第１制御基板ユニット２０１を取り付けた状態が示されており、このように、球集合板４６０、カバー部材５０１および第１制御基板ユニット２０１を一体とした状態で遊技盤３０に取り付けるという工程も可能であり、パチンコ機１０の組み立て方法は特定のものに限定されないが、前記のように球集合板４６０およびカバー部材５０１をユニットとして遊技盤３０に取り付けた後に第１制御基板ユニット２０１を取り付けるという工程の作業性がとりわけ良好である。
【０１６６】
（特徴構成）
図２５ないし図４４は、従制御基板の一つである音声ランプ制御基板を収容する第２制御基板ボックス２０２Ａの構成を示す図である。以下、同図に基づき、第２制御基板ボックス２０２Ａの構成を説明する。
【０１６７】
第２制御基板ボックス２０２Ａは、取付台に搭載されて前述の第２制御基板ユニット２０２としてユニット化され、前記したようにパチンコ機１０の裏面側に配設されている。
【０１６８】
第２制御基板ボックス２０２Ａは、音声ランプ制御基板の表面側を覆うボックスカバー６０１と、音声ランプ制御基板の裏面側を覆うボックスベース６０２とから構成されている。上記ボックスカバー６０１およびボックスベース６０２は第１ケースおよび第２ケースに相当するものであるが、ボックスカバー６０１およびボックスベース６０２のうちいずれを第１ケースとしいずれを第２ケースとするかは任意である。該第２制御基板ボックス２０２Ａは、外面を形成する複数の板部をそれぞれ有する第１ケース即ちボックスカバー６０１と第２ケース即ちボックスベース６０２とをつき合わせた状態で内部に音声ランプ制御基板が収容される構成となっている。
【０１６９】
上記ボックスカバー６０１およびボックスベース６０２は、それぞれ透明樹脂を概略横長の長方形状に成形してなり、ボックスカバー６０１は、やや厚みを有して内部に収容スペースが形成され一方面側が開放されたカバーとなっており、ボックスベース６０２は該ボックスカバー６０１の開放側を覆う平板状の部材となっている。ボックスカバー６０１には、図２７および図２８に示すように、一方短縁（図２７では左側端縁、図２８では右側端縁）に沿って一端から他端まで等間隔をなして６箇所にステー６０３がそれぞれ配置され、該ステー６０３の先端に支持されるようにして、枢支軸６０４が該ボックスカバー６０１の一方短縁に平行に延びるように形成されている。上記ステー６０３および枢支軸６０４はボックスカバー６０１と一体的に成形されており、これらステー６０３および枢支軸６０４とボックスカバー６０１の一方短縁とにより、これらに周囲を包囲されたスリット６０５が、該ボックスカバー６０１の一方短縁に沿って等間隔をなして５箇所にそれぞれ形成されている。ボックスベース６０２には、図２９および図３０に示すように、一方短縁（図２９では右側端縁、図３０では左側端縁）に沿って、等間隔をなして５箇所に枢着片６０６がそれぞれ形成されている。各枢着片６０６は、上記ボックスカバー６０１の枢支軸６０４の周面に対応する湾曲形状を有し、上記ボックスカバー６０１のスリット６０５の長さよりも小さい幅を有する延出片となっている。この枢着片６０６は上記スリット６０５に挿入され、一定の角度範囲内で回動可能に枢支軸６０４に支持されるとともに、スリット６０５内で該スリット６０５の長さ方向に一定範囲内でスライドし得るように保持され、これにより、ボックスカバー６０１とボックスベース６０２とが、一方短辺部同士で回動可能かつスライド可能に連結されて開閉し得るように構成されている。
【０１７０】
図２６に示すように、ボックスベース６０２において前記枢着片６０６形成側短縁と反対側の短縁（図２６では右側端縁）には、ボックスカバー６０１に対向する側（即ち内側）へ向けて垂直に延出しその先端が下方へ直角に延びて全体として鉤形状をなす係止片６０７が、等間隔に４箇所に形成されている。一方、ボックスカバー６０１において前記枢支軸６０４形成側短縁と反対側の短縁（図２６では左側端縁）には、上記ボックスベース６０２の各係止片６０７に対応する係合溝６０８がそれぞれ形成されている。各係合溝６０８は、係止片６０７を挿入して下方にスライドさせると該係止片６０７の先端部に係合して該係止片６０７を保持し得る内腔部（図示せず）を有する形状に形成されている。また、ボックスベース６０２の下端縁には多数（８箇所）の延出片６０９が、上端縁には延出片が挿入され嵌合する多数（８箇所）の嵌合部６１０がそれぞれ形成されるとともに、ボックスカバー６０１の下端縁には上記ボックスベース６０２の延出片６０９に対応する多数（８箇所）の嵌合部６１１が、上端縁には上記ボックスベース６０２の嵌合部６１０に対応する多数（８箇所）の延出片６１２がそれぞれ形成されており、各延出片６０９、６１２がそれぞれ対応する嵌合部６１１、６１０に嵌合することによりボックスカバー６０１とボックスベース６０２とが周縁部同士で嵌合して閉じた状態に保持されるようになっていて、閉じた状態から開く場合にはこの嵌合状態を解除することが必要となる構造となっている。
【０１７１】
ボックスカバー６０１の下端縁中央部には、破断ネジ挿通部６１３が形成され、ボックスベース６０２の下端縁中央部には、該破断ネジ挿通部６１３に対応して螺入部６１４が形成されている。この破断ネジ挿通部６１３および螺入部６１４は、例えば前述のカバー部材５０１および球集合板４６０にそれぞれ形成された破断ネジ挿通部５１５および螺入部４６３と同様の構成となっており、破断ネジ挿通部６１３の外側から破断ネジを挿通し螺入部６１４に螺入して締結固定されるようになっている。
【０１７２】
以下、上記ボックスカバー６０１およびボックスベース６０２の閉動作を順次説明する。
まず、図２５および図２６に示すように、ボックスベース６０２の枢着片６０６をボックスカバー６０１のスリット６０５に挿入し、該スリット６０５内の上端側に位置させる。この状態では、ボックスカバー６０１がボックスベース６０２に対し所定の差（即ちスリット６０５内における枢着片６０６のスライド可能範囲に相当する距離）で下方にずれているが、ボックスカバー６０１およびボックスベース６０２がこのように上下方向すなわちスライド方向において互いにずれている状態にあるときの相対位置は、ボックスカバー６０１とボックスベース６０２とを、後記の閉位置から第２制御基板ボックス２０２Ａを開放する方向に移動させた場合に、ボックスカバー６０１とボックスベース６０２との係合状態が解除される位置となっており、即ちこれが「開位置」となっている。
ついで、ボックスカバー６０１およびボックスベース６０２を、開位置のまま枢支軸６０４を中心に回動させて重ね合わせ、ボックスベース６０２の係止片６０７をボックスカバー６０１の係合溝６０８に挿入する。このときの状態を図３１および図３２に示す。同図に示すように、この状態では、ボックスカバー６０１およびボックスベース６０２は開位置で重合している。
ついで、ボックスカバー６０１およびボックスベース６０２を、互いの上下端同士が揃う位置までスライドさせ、ボックスベース６０２の延出片６０９をボックスカバー６０１の嵌合部６１１に、ボックスカバー６０１の延出片６１２をボックスベース６０２の嵌合部６１０にそれぞれ嵌合させる。このときの状態を図３３および図３４に示す。この状態では、ボックスカバー６０１およびボックスベース６０２は、上記のように延出片６０９、６１２が嵌合部６１１、６１０に嵌合するとともに、ボックスベース６０２の係止片６０７がボックスカバー６０１の係合溝６０８内に係合し、これによりボックスカバー６０１およびボックスベース６０２が閉じた状態に保持される。ボックスカバー６０１およびボックスベース６０２がこのように上下方向すなわちスライド方向においてずれておらず揃った状態にあるときの相対位置は、第２制御基板ボックス２０２Ａが音声ランプ制御基板を収容した状態となる位置であって、ボックスカバー６０１とボックスベース６０２とを、開位置から第２制御基板ボックス２０２Ａを閉じる方向に移動させた場合に、スライド移動がそれ以上できなくなる位置となっており、即ちこれが「閉位置」となっている。
ついで、破断ネジ挿通部６１３の外側から破断ネジを挿通し螺入部６１４に螺入して本締めし、頭部を破断させる。これにより、ボックスカバー６０１およびボックスベース６０２すなわち第２制御基板ボックス２０２Ａが封止され、該第２制御基板ボックス２０２Ａを開封するには少なくとも一部を破壊または切断することが必要な状態となる。
【０１７３】
閉じた状態にある第２制御基板ボックス２０２Ａを開く場合には、例えば破断ネジ挿通部６１３をニッパ等で切断して封止状態を解除し、上記の手順とは逆に、ボックスカバー６０１およびボックスベース６０２を閉位置からスライドさせて開位置まで戻し、回動させて開くようにする。
【０１７４】
上記のように、ボックスカバー６０１およびボックスベース６０２をスライド動作および回動動作の２動作を経て開閉する構造としたことにより、第２制御基板ボックス２０２Ａがより開きづらく、不正な開放がより確実に防止されるようになっている。特に、回動動作は前後方向にスペースを必要とするが、第２制御基板ボックス２０２Ａの裏面側には図６および図７に示すようにカバー３００が配置されているので、第２制御基板ボックス２０２Ａを回動動作によっては開放しづらい構造となっている。また、ボックスカバー６０１およびボックスベース６０２を基板面に平行な方向にスライドさせる構造とすることで、これらの周縁の全体同士をより簡易な構造によって確実に嵌合させることができて第２制御基板ボックス２０２Ａをより容易かつ確実に閉じ得る構造となっている。
【０１７５】
図２６、図２９および図３０に示すように、ボックスベース６０２の下端縁には、脆弱部６３１が設けられている。この脆弱部６３１は、ボックスベース６０２の下端縁を多数の凸部６３２が連続する櫛形状に形成することによって構成されている。凸部６３２のそれぞれは概略矩形状を有し、ボックスベース６０２の下端縁において、前記延出片６０９および螺入部６１４の形成位置を除くほぼ全体に形成されている。
【０１７６】
上記凸部６３２は幅ｗ１が若干大きいもの、中程度のもの、若干小さいものの３種を含むものとなっており、その幅ｗ１は大きいもので約５ｍｍ、中程度のもので約４．５ｍｍ、小さいもので約４ｍｍとなっている。また、凸部６３２の間隔ｄ１はいずれも約３ｍｍ、突出長さｈ１は約４〜４．５ｍｍとなっている。
【０１７７】
図２６および図２８に示すように、ボックスカバー６０１の下端縁には、前記ボックスベース６０２の多数の凸部６３２に噛み合うようにして、多数の凸部６３３が形成されている。ボックスカバー６０１の下端部には、底面部６３４の内側縁から下方に延出するフランジ６３５が形成され、さらに該フランジ６３５の下端縁は内側へ直角に折曲されるように延出して下縁壁６３６が形成されている。上記凸部６３３は、フランジ６３５の内側面および下縁壁６３６の上面から直角に延出する矩形状の壁体状に形成されている。各凸部６３３の幅、間隔および突出高さは前記ボックスベース６０２の多数の凸部６３２にそれぞれ対応するように設定されており、ボックスカバー６０１の各凸部６３３の間に、前記ボックスベース６０２の各凸部６３２が上方から嵌まり込むようにして、これら凸部６３２、６３３が互いに噛み合うように配置構成されている。
【０１７８】
本実施形態においては、ボックスカバー６０１とボックスベース６０２との下端縁同士が互いにつき合わせられて第２制御基板ボックス２０２Ａを閉塞する位置は前記ボックスカバー６０１の底面部６３４の内側縁となっており、脆弱部６３１は、この第２制御基板ボックス２０２Ａの閉塞位置よりも外方へ延出するようにして設けられている。即ち、ボックスカバー６０１とボックスベース６０２とが閉位置にある状態では、ボックスベース６０２の凸部６３２はボックスカバー６０１の底面部６３４よりも下方に位置するようになっている。また、ボックスベース６０２の脆弱部６３１の上方には、内側に延出し水平方向に長く延びる突条６３７が形成されており、ボックスカバー６０１とボックスベース６０２とが閉位置にある状態でこの突条６３７がボックスカバー６０１の底面部６３４の上に近接して位置するようになっている。
【０１７９】
（作用）
上述の通り、パチンコ機１０においては、外面を形成する複数の板部をそれぞれ有する、第１ケースとしてのボックスカバー６０１と第２ケースとしてのボックスベース６０２とをつき合わせた状態で内部に音声ランプ制御基板が収容される構成を有する第２制御基板ボックス２０２Ａが配設された構成において、上記ボックスカバー６０１とボックスベース６０２との互いにつき合わせられた下端縁部に、該下端縁部に対して外力が加わった際に当該外力が集中することにより優先的に破断し得る脆弱部６３１を設けたので、第２制御基板ボックス２０２Ａのボックスカバー６０１とボックスベース６０２との互いにつき合わせられた下端縁部に例えばドライバなどの器具をこじ入れて該第２制御基板ボックス２０２Ａをこじ開けようとすると、この動作により加わった外力が脆弱部６３１に集中して印加されて該脆弱部６３１が優先的に破断し、これにより開封痕跡が残ることとなる。したがって第２制御基板ボックス２０２Ａを不正に開封されることを効果的に防止することができる。
またこのとき、脆弱部６３１は、ボックスベース６０２の下端縁を多数の凸部６３２が連続する櫛形状に形成するという簡単な構成によって設けられている。
【０１８０】
また、第２制御基板ボックス２０２Ａが、ボックスカバー６０１とボックスベース６０２とを閉じた状態に固定し封止する封止手段として破断ネジ挿通部６１３および螺入部６１４を備えるので、ボックスカバー６０１とボックスベース６０２とが封止手段により封止されることで、第２制御基板ボックス２０２Ａが破壊ないし切断しない限り開封できない状態となるため、第２制御基板ボックス２０２Ａを不正に開封することが困難となるだけでなく、この状態で敢えて不正行為を意図したとしても、第２制御基板ボックス２０２Ａを痕跡を残すことなく開封することは放棄するしかなく、したがって第２制御基板ボックス２０２Ａを無理にこじ開けようとする傾向がより強くなって、脆弱部６３１がより有効に機能するようになっている。
【０１８１】
図４３は、閉じた状態にある第２制御基板ボックス２０２Ａの下端縁部の状況を示す拡大図であり、図４４は図４３のＡ−Ａ線部断面図である。第２制御基板ボックス２０２Ａが閉じた状態すなわちボックスカバー６０１とボックスベース６０２とが閉位置にある状態では、図４３に示すように、ボックスカバー６０１とボックスベース６０２との下端縁部同士が互いにつき合わせられている。このとき、
ボックスカバー６０１とボックスベース６０２とは破断ネジ挿通部６１３および螺入部６１４で封止されているので、前記したようにこの状態で敢えて不正行為を意図したとしても、第２制御基板ボックス２０２Ａを痕跡を残すことなく開封することは不可能であり放棄するしかない。このため、痕跡を残してでも破断ネジ挿通部６１３および螺入部６１４での封止状態を破って第２制御基板ボックス２０２Ａを開封される可能性もあるが、破断ネジ挿通部６１３および螺入部６１４以外の部分で、図４４に示すようにボックスカバー６０１とボックスベース６０２とのつき合わせ部の隙間にマイナスドライバ等の器具Ｒをこじ入れてこの部分の隙間を押し広げ、そこから不正用の器具を進入させるようにして第２制御基板ボックス２０２Ａの内部に不正がなされるという可能性もある。後者の方法では、上手くいけば押し広げた隙間を原状に戻して痕跡を残さないようにすることも一見したところでは可能とも思われやすく、したがって前者の方法よりも後者の方法が実施される可能性が高いとも考えられる。後者の方法の場合、ボックスカバー６０１とボックスベース６０２とのつき合わせ部の隙間にこじ入れた器具Ｒを、図中の矢印Ａ１に示すように捻転させたり、あるいは図中の矢印Ａ２に示すように取手側を押し下げ「てこ」として動作させたりして、この部分の隙間を押し広げようとする。ここで、ボックスベース６０２の下端縁には脆弱部６３１が形成されているので、上記のように器具Ｒを用いて加えられた外力が脆弱部６３１に集中して印加され、図中の矢印Ｂ１に示すように脆弱部６３１が折れ曲がるようにして優先的に破断し、これにより確実に開封痕跡が残ることとなる。
【０１８２】
また、ボックスカバー６０１とボックスベース６０２とが、互いにスライドさせるようにして開閉し得るように構成され、ボックスカバー６０１とボックスベース６０２とを閉じた状態で互いに嵌合させる嵌合機構を備えるので、ボックスカバー６０１とボックスベース６０２とが嵌合機構により嵌合するようにして閉じた状態に保持され、ボックスカバー６０１とボックスベース６０２とが封止手段により封止されていない場合や、あるいはボックスカバー６０１とボックスベース６０２との封止が破られた場合であっても、単にボックスカバー６０１とボックスベース６０２とをスライドさせるだけでは開くことができず、嵌合機構による嵌合を解除することが必要となり、このためボックスカバー６０１とボックスベース６０２とを無理にこじ開けようとする傾向が強くなる。したがって、脆弱部がさらに有効に機能する構成となっている。
【０１８３】
また、脆弱部６３１が、ボックスベース６０２の端縁部を多数の凸部６３２が連続する櫛形状に形成することによって構成されているので、ドライバなどの器具でこじ開けようとすると容易に破断する脆弱部６３１となっている。
【０１８４】
また、多数の凸部６３２が、それぞれの幅が約４〜５ｍｍ、間隔が約３ｍｍとなるように形成されているので、ドライバ等が挿入しづらくてこじ開け難く、かつ十分に脆弱性を有する凸部６３２となっており、また、凸部６３２が必要な強度を有するとともに、成形が困難でない程度の幅および間隔となっている。
【０１８５】
また、ボックスベース６０２の多数の凸部６３２に噛み合うようにして、ボックスカバー６０１の端縁部に、多数の凸部６３３が形成されているので、ボックスベース６０２およびボックスカバー６０１の双方に、凸部６３２、６３３の形成により脆弱部としての機能が付与され、より確実に当該機能を奏することができるようになっている。また、ボックスベース６０２およびボックスカバー６０１のそれぞれに形成された凸部６３２、６３３が互いに噛み合うようになっていることで、この凸部６３２、６３３形成部において第２制御基板ボックス２０２Ａがより確実に閉塞される構造となっている。
【０１８６】
また、ボックスカバー６０１とボックスベース６０２とが、互いにスライドさせるようにして開閉し得るように構成され、ボックスベース６０２の下端縁部に、上記スライド方向に沿って延出する延出片６０９が形成され、ボックスカバー６０１の下端縁部に、上記延出片６０９が挿入され嵌合する嵌合部６１１が形成され、また、ボックスカバー６０１の上端縁部に、上記スライド方向に沿って延出する延出片６１２が形成され、ボックスベース６０２の上端縁部に、上記延出片６１２が挿入され嵌合する嵌合部６１０が形成されているので、ボックスカバー６０１およびボックスベース６０２の端縁部同士が、延出片６０９、６１２が嵌合部６１１、６１０に挿入され嵌合することにより、スライド方向にのみ移動し得るように規制される。したがって、ボックスカバー６０１とボックスベース６０２とを不正に開こうとする場合に、ボックスカバー６０１とボックスベース６０２とを端縁部からスライド方向に無理にこじ開けようとする傾向も強くなり、脆弱部６３１がより有効に機能し得る構成となっている。
【０１８７】
また、脆弱部６３１が、ボックスカバー６０１とボックスベース６０２との端縁同士が互いにつき合わせられて第２制御基板ボックス２０２Ａを閉塞する位置すなわちボックスカバー６０１の底面部６３４の内側縁よりも外方へ延出するようにして設けられているので、脆弱部６３１が破断した場合でも、これより内側で第２制御基板ボックス２０２Ａが閉塞した状態となっており、したがって音声ランプ制御基板を収容する第２制御基板ボックス２０２Ａとしての基本的な機能が損なわれることがなく、脆弱部６３１の破断によって開口が形成されて該開口から不正な進入がなされるということもない。
【０１８８】
また、ボックスカバー６０１とボックスベース６０２とが、スライド動作および回動動作の２動作を経て開閉し得るように構成されているので、第２制御基板ボックス２０２Ａがより開きづらくなっており、不正な開放がより確実に防止される構成となっている。特に、回動動作は前後方向にスペースを必要とするため、第２制御基板ボックス２０２Ａの裏面側にカバー３００が配置されていることで、第２制御基板ボックス２０２Ａが回動動作によっては開放しづらい構造となっている。
【０１８９】
（変更態様）
前記実施形態においては、脆弱部６３１が、ボックスベース６０２の端縁部を多数の凸部６３２が連続する櫛形状に形成することによって構成されていたが、脆弱部としては、基板ボックスを不正に開封することを意図してこじ開けようとした際などに加えられる外力が集中することにより優先的に破断して開封痕跡が残留し得る程度の脆弱性を有するものであれば、前記実施形態の脆弱部６３１のようなもの以外にも任意の構成のものが採用できる。図４５は脆弱部の別の例を示す概略断面斜視図である。同図に示す脆弱部６３８は、ボックスベース６３９の端縁部を比較的に肉薄に成形することによって構成されている。ボックスベース６３９の本体６３９Ｂは、部位によって多少の差はあるものの、肉厚ｔ１が平均して約２ｍｍとなるように成形されているが、ボックスベース６３９の下端縁から幅数ｍｍ程度の帯域は肉厚ｔ２が前記本体６３９Ｂの肉厚ｔ１より小、即ち２ｍｍ未満となっており、これにより上述のような脆弱性を有する脆弱部６３８が形成されている。上記脆弱部６３８の外側面は本体６３９Ｂの外側面と面一となっており、該脆弱部６３８の厚みがボックスベース６３９の外側に寄せるようにして形成されている。また、脆弱部６３８の上方には、内側に延出し水平方向に長く延びる突条６４０が形成されており、該突条６４０は前記実施形態における突条６３７と同様のものである。上記構成によれば、脆弱部６３８の構成がよりシンプルであってその成形も比較的に容易である。
【０１９０】
図４６は脆弱部のさらに別の例を示す概略断面斜視図である。同図に示す脆弱部６４１は、ボックスベース６４２の端縁部の近傍に溝６４３を形成することによって構成されている。該溝６４３は、ボックスベース６４２の内側面において、下端縁よりやや上方（即ち下端縁を有する板部）に、該下端縁に沿って水平方向に延びるようにして形成されている。上記構成によれば、ボックスベース６４２が、溝６４３の位置で局所的に肉薄となっており、したがって基板ボックスをこじ開けようとした際などに下端縁に対して加えられる外力が、この溝６４３の位置に集中して印加されるようになり、したがって外力がより局所に集中することとなって当該位置でさらに効果的に破断し得る構成となっている。
【０１９１】
また、前記実施形態においては、凸部６３２の幅ｗ１が約４〜５ｍｍ、間隔ｄ１が約３ｍｍとなっていたが、凸部の幅および間隔は、もちろんこれに限定されるものではなく、例えば、基板ボックスの肉厚以下（例えば前記実施形態の第２制御基板ボックス２０２Ａの場合であれば約２ｍｍ以下）としてもよい。凸部の幅および間隔が基板ボックスの肉厚以下であれば、ドライバ等がさらに挿入しづらくてこじ開け難く、またより脆弱で破断しやすくなる。
【０１９２】
また、前記実施形態においては、ボックスカバー６０１とボックスベース６０２とが、スライド動作および回動動作を経て開閉し得るように構成されていたが、スライド動作および回動動作のいずれか一方のみによって開閉し得る構成としてもよい。図４７は、回動動作のみによって開閉し得る構成とした基板ボックスの構成の一例を模式的に示す図である。同図に示す例においては、基板ボックスのボックスカバー６４４とボックスベース６４５とが概略横長の長方形状に成形され、一方短縁で回動可能に枢着されて、図中の矢印Ａ３に示すように回動させることにより開閉し得る構成となっており、ボックスベース６４５の枢着された短縁（固定端縁）と反対側の短縁（自由端縁）に、脆弱部６４６が形成されている。該脆弱部６４６の構成は前記実施形態における脆弱部６３１と基本的に同様である。このように回動動作のみによって開閉する構成とした基板ボックスにおいては、不正にこじ開けようとされる場合には自由端縁部にドライバ等の器具をこじ入れてこじ開けるようにされる可能性が最も高いので、自由端縁部に脆弱部を形成しておくことにより、不正な開封を効果的に抑止することができる。加えて、固定端縁部および自由端縁部以外の端縁部（即ち上記図４７に示す例では上下両長縁部）にも脆弱部を形成しておくと、不正な開封を抑止する上でさらに望ましい。
【０１９３】
また、前記実施形態においては、ボックスカバー６０１とボックスベース６０２とが封止される構造となっていたが、封止される構造でなくとも、例えばボックスカバーとボックスベースとの嵌合構造あるいは係合構造を適宜複雑に構成することによって基板ボックスを開閉しづらい構造とするようにしても、脆弱部を機能させるようにすることができる。
【０１９４】
また、前記実施形態では、ボックスカバー６０１とボックスベース６０２とが、それぞれの上端縁および下端縁に形成された延出片６０９、６１２とこれに対応する嵌合部６１１、６１０とを嵌合することにより周縁部同士で嵌合して閉じた状態に保持される構成となっていたが、ボックスカバーとボックスベースとの嵌合機構としては、前記実施形態のようなものにかえて、あるいは前記実施形態のようなものに加えて、例えば図４８に示すような嵌合機構を設けるようにしてもよい。同図に示す例では、ボックスカバー６３１およびボックスベース６３２のそれぞれの端縁が断面鉤形状をなすように互いに対向する方向に延出して周壁部６３１Ｐ、６３２Ｐが形成され、ボックスベース６３２の周壁部６３２Ｐよりやや内周側には該周壁部６３２Ｐに平行に嵌合リブ６３２Ｒが形成されている。この構成によれば、ボックスカバー６３１とボックスベース６３２とが閉位置にあるときに、ボックスベース６３２の周壁部６３２Ｐと嵌合リブ６３２Ｒとの間にボックスカバー６３１の周壁部６３１Ｐを嵌入させることにより、ボックスカバー６３１とボックスベース６３２とが互いに嵌合してそのスライド移動が規制され、確実に閉じた状態に保持される。ボックスカバー６３１とボックスベース６３２とを開く場合には、ボックスベース６３２の周壁部６３２Ｐと嵌合リブ６３２Ｒとの間からボックスカバー６３１の周壁部６３１Ｐを脱離させる必要があるためそれだけ開きづらくなっている。上記のような嵌合リブは、ボックスカバーおよびボックスベースのいずれに設けてもよく、また、全周縁に設けるようにしてもあるいは一または複数の端縁に選択的に設けるようにしてもよく、さらには、長く連続するように形成するようにしてもあるいは局所的に短く形成するようにしてもよく、さらにはまた、間隔をおいて複数個所に設けるようにしてもよい。
【０１９５】
また、前記実施形態の第２制御基板ボックス２０２Ａにおける脆弱部等の構成は、第１制御基板ユニット２０１Ａ、第３制御基板ユニット２０３等の他の基板ボックスにおいても同様に適用することができる。
【０１９６】
また、前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【産業上の利用可能性】
【０１９７】
本発明は、制御基板を収容する基板ボックスを備える遊技機であれば広汎に実施することが可能である。
【符号の説明】
【０１９８】
２０２Ａ：第２制御基板ボックス
６０１：ボックスカバー（第１ケース／第２ケース）
６０２：ボックスベース（第２ケース／第１ケース）
６３１：脆弱部
【図１】
2014061322.tif 000003
【図２】
2014061322.tif 000004
【図３】
2014061322.tif 000005
【図４】
2014061322.tif 000006
【図５】
2014061322.tif 000007
【図６】
2014061322.tif 000008
【図７】
2014061322.tif 000009
【図８】
2014061322.tif 000010
【図９】
2014061322.tif 000011
【図１０】
2014061322.tif 000012
【図１１】
2014061322.tif 000013
【図１２】
2014061322.tif 000014
【図１３】
2014061322.tif 000015
【図１４】
2014061322.tif 000016
【図１５】
2014061322.tif 000017
【図１６】
2014061322.tif 000018
【図１７】
2014061322.tif 000019
【図１８】
2014061322.tif 000020
【図１９】
2014061322.tif 000021
【図２０】
2014061322.tif 000022
【図２１】
2014061322.tif 000023
【図２２】
2014061322.tif 000024
【図２３】
2014061322.tif 000025
【図２４】
2014061322.tif 000026
【図２５】
2014061322.tif 000027
【図２６】
2014061322.tif 000028
【図２７】
2014061322.tif 000029
【図２８】
2014061322.tif 000030
【図２９】
2014061322.tif 000031
【図３０】
2014061322.tif 000032
【図３１】
2014061322.tif 000033
【図３２】
2014061322.tif 000034
【図３３】
2014061322.tif 000035
【図３４】
2014061322.tif 000036
【図３５】
2014061322.tif 000037
【図３６】
2014061322.tif 000038
【図３７】
2014061322.tif 000039
【図３８】
2014061322.tif 000040
【図３９】
2014061322.tif 000041
【図４０】
2014061322.tif 000042
【図４１】
2014061322.tif 000043
【図４２】
2014061322.tif 000044
【図４３】
2014061322.tif 000045
【図４４】
2014061322.tif 000046
【図４５】
2014061322.tif 000047
【図４６】
2014061322.tif 000048
【図４７】
2014061322.tif 000049
【図４８】
2014061322.tif 000050
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
外面を形成する複数の板部をそれぞれ有する第１ケースと第２ケースとをつき合わせた状態で内部に制御基板が収容される構成を有する基板ボックスが配設された遊技機であって、
前記第１ケースと第２ケースとの互いにつき合わせられた端縁部またはその端縁部を有する板部の少なくとも一部に、前記端縁部に対して外力が加わった際に当該外力が集中することにより優先的に破断し得る脆弱部を設け、
前記脆弱部が、前記第１ケースまたは第２ケースの端縁部またはその端縁部を有する板部の少なくとも一部を部分的に欠損させることにより形成されていることを特徴とする遊技機。
【手続補正２】
【補正対象書類名】明細書
【補正対象項目名】０００８
【補正方法】変更
【補正の内容】
【０００８】
本発明にかかる遊技機は、上記目的を達成するために、
外面を形成する複数の板部をそれぞれ有する第１ケースと第２ケースとをつき合わせた状態で内部に制御基板が収容される構成を有する基板ボックスが配設された遊技機であって、
前記第１ケースと第２ケースとの互いにつき合わせられた端縁部またはその端縁部を有する板部の少なくとも一部に、前記端縁部に対して外力が加わった際に当該外力が集中することにより優先的に破断し得る脆弱部を設け、
前記脆弱部が、前記第１ケースまたは第２ケースの端縁部またはその端縁部を有する板部の少なくとも一部を部分的に欠損させることにより形成されていることを特徴とする。